【手続補正書】
【提出日】平成24年10月4日(2012.10.4)
【手続補正１】
【補正対象書類名】明細書
【補正対象項目名】００１２
【補正方法】変更
【補正の内容】
【００１２】
図１（Ａ）、（Ｂ）、（Ｃ）は本発明の実施例１としての数値実施例１の広角端（短焦点距離端）、焦点距離ｆ＝１６．９１ｍｍ、望遠端（長焦点距離端）におけるレンズ断面図である。図２（Ａ）、（Ｂ）、（Ｃ）は、数値実施例１の広角端、焦点距離ｆ＝１６．９１ｍｍ、望遠端における収差図である。数値実施例１は広角端の撮影半画角３４．８５°（焦点距離７．９ｍｍ）、ズーム比２１．０のズームレンズである。但し、焦点距離や物体距離の値は、後述する数値実施例をｍｍ単位で表したときの値である。物体距離は像面からの距離である。これらは以下の各実施例において、全て同じである。図３（Ａ）、（Ｂ）、（Ｃ）は本発明の実施例２としての数値実施例２の広角端、焦点距離ｆ＝１６．２４ｍｍ、望遠端におけるレンズ断面図である。図４（Ａ）、（Ｂ）、（Ｃ）は、数値実施例２の広角端、焦点距離ｆ＝１６．２４ｍｍ、望遠端における収差図である。数値実施例２は広角端の撮影半画角３４．５１°（焦点距離８．００ｍｍ）、ズーム比１７．００のズームレンズである。
【手続補正２】
【補正対象書類名】明細書
【補正対象項目名】００１３
【補正方法】変更
【補正の内容】
【００１３】
図５（Ａ）、（Ｂ）、（Ｃ）は本発明の実施例３としての数値実施例３の広角端、焦点距離ｆ＝１６．２４ｍｍ、望遠端におけるレンズ断面図である。図６（Ａ）、（Ｂ）、（Ｃ）は、数値実施例３の広角端、焦点距離ｆ＝１６．２４ｍｍ、望遠端における収差図である。数値実施例３は広角端の撮影半画角３４．５１°（焦点距離８．００ｍｍ）、ズーム比１７．００のズームレンズである。図７（Ａ）、（Ｂ）、（Ｃ）は本発明の実施例４としての数値実施例４の広角端、焦点距離ｆ＝１６．２４ｍｍ、望遠端におけるレンズ断面図である。図８（Ａ）、（Ｂ）、（Ｃ）は、数値実施例４の広角端、焦点距離ｆ＝１６．２４ｍｍ、望遠端における収差図である。数値実施例４は広角端の撮影半画角３４．５１°（焦点距離８．００ｍｍ）、ズーム比１７．００のズームレンズである。
【手続補正３】
【補正対象書類名】明細書
【補正対象項目名】００１４
【補正方法】変更
【補正の内容】
【００１４】
図９（Ａ）、（Ｂ）、（Ｃ）は本発明の実施例５としての数値実施例５の広角端、焦点距離ｆ＝１６．２４ｍｍ、望遠端におけるレンズ断面図である。図１０（Ａ）、（Ｂ）、（Ｃ）は、数値実施例５の広角端、焦点距離ｆ＝１６．２４ｍｍ、望遠端における収差図である。数値実施例５は広角端の撮影半画角３４．５１°（焦点距離８．００ｍｍ）、ズーム比１７．００のズームレンズである。図１１（Ａ）、（Ｂ）、（Ｃ）は本発明の実施例６としての数値実施例６の広角端、焦点距離ｆ＝１６．２４ｍｍ、望遠端におけるレンズ断面図である。図１２（Ａ）、（Ｂ）、（Ｃ）は、数値実施例６の広角端、焦点距離ｆ＝１６．２４ｍｍ、望遠端における収差図である。数値実施例６は広角端の撮影半画角３４．５１°（焦点距離８．００ｍｍ）、ズーム比１７．００のズームレンズである。
【手続補正４】
【補正対象書類名】明細書
【補正対象項目名】００１５
【補正方法】変更
【補正の内容】
【００１５】
図１３（Ａ）、（Ｂ）、（Ｃ）は本発明の実施例７としての数値実施例７の広角端、焦点距離ｆ＝２６．７６ｍｍ、望遠端におけるレンズ断面図である。図１４（Ａ）、（Ｂ）、（Ｃ）は、数値実施例７の広角端、焦点距離ｆ＝２６．７６ｍｍ、望遠端における収差図である。数値実施例７は広角端の撮影半画角２６．５７°（焦点距離１１．００ｍｍ）、ズーム比３５．００のズームレンズである。図１５（Ａ）、（Ｂ）は本発明のズームレンズの近軸屈折力配置の説明図である。図１６は本発明の撮像装置の概略図である。各実施例のズームレンズは放送用テレビカメラ、ビデオカメラ、デジタルカメラ等の撮像装置に用いられる撮像レンズ系である。レンズ断面図において左方が物体側（前方）で、右方が像側（後方）である。
【手続補正５】
【補正対象書類名】明細書
【補正対象項目名】００３７
【補正方法】変更
【補正の内容】
【００３７】
（数値実施例１）
面番号       r        d      nd         νd       有効径
1       -329.245    2.30   1.80100    35.0       78.08
2        249.707    3.92                         76.45
3       3632.462    2.30   1.72825    28.5       76.36
4        115.991   13.27   1.43875    95.0       75.90
5       -164.753    0.40                         76.08
6        148.803    8.86   1.45600    90.3       75.12
7       -267.585    6.25                         74.80
8        133.728    6.62   1.72916    54.7       71.22
9      -1936.997    0.15                         70.47
10         65.273    6.33   1.77250    49.6       65.35
11        146.815  (可変)                         64.51
12*        60.869    1.00   1.88300    40.8       25.54
13         13.783    6.68                         20.29
14        -30.565    5.80   1.80809    22.8       19.88
15        -12.793    0.75   1.88300    40.8       19.78
16        182.256  (可変)                         20.09
17         49.356    2.41   1.69895    30.1       20.32
18       -232.727  (可変)                         20.25
19        -28.800    0.75   1.74320    49.3       19.93
20         40.674    2.56   1.84666    23.8       21.73
21      -5282.872  (可変)                         22.13
22(絞り)    ∞       1.30                         26.58
23        194.399    4.82   1.65844    50.9       27.91
24        -40.272    0.15                         28.53
25        155.039    2.44   1.53172    48.8       28.92
26       -456.105    0.15                         28.93
27         54.034    6.94   1.48749    70.2       28.87
28        -36.258    1.00   1.88300    40.8       28.47
29       -436.176   36.60                         28.58
30         43.800    5.93   1.48749    70.2       28.55
31        -57.570    0.91                         28.15
32       -179.847    1.00   1.83481    42.7       27.23
33         23.887    7.39   1.51633    64.1       26.43
34        -91.878    0.15                         26.67
35         51.827    7.32   1.49700    81.5       26.68
36        -29.619    1.00   1.88300    40.8       26.24
37        169.947    0.34                         26.56
38         45.844    5.30   1.57501    41.5       27.06
39        -60.117    4.50                         26.96
40          ∞      33.00   1.60859    46.4       40.00
41          ∞      13.20   1.51633    64.1       40.00
42          ∞       7.90                         40.00
像面        ∞   
非球面データ
第12面
K = 5.55425e-001  A 4= 4.31568e-006  A 6=-2.03508e-008  A 8= 8.73188e-011  A10=
-2.80126e-013  
各種データ
ズーム比     21.00 
焦点距離       7.90    16.91    36.20    77.50   165.90  
Fナンバー      1.90     1.90     1.90     1.90     2.68  
半画角（度）   34.85    18.02     8.64     4.06     1.90  
像高           5.50     5.50     5.50     5.50     5.50  
レンズ全長   275.88   275.88   275.88   275.88   275.88  
BF             7.90     7.90     7.90     7.90     7.90  
d11            0.70    23.56    38.95    48.51    53.88  
d16            0.35     2.26     1.67     2.01     1.68  
d18           57.13    29.57    12.42     4.26     7.22  
d21            6.00     8.79    11.14     9.41     1.40  

入射瞳位置    47.98   101.04   196.34   360.94   631.18  
射出瞳位置   425.47   425.47   425.47   425.47   425.47  
前側主点位置  56.03   118.64   235.68   452.82   862.99  
後側主点位置  -0.00    -9.01   -28.30   -69.60  -158.00  
ズームレンズ群データ
群  始面    焦点距離  レンズ構成長  前側主点位置  後側主点位置
1    1      69.86        50.40        32.63          1.64
2   12      -9.85        14.23         3.49         -6.20
3   17      58.01         2.41         0.25         -1.17
4   19     -43.35         3.31        -0.06         -1.87
5   22      57.98       133.44        64.77       -127.58
【手続補正６】
【補正対象書類名】明細書
【補正対象項目名】００３８
【補正方法】変更
【補正の内容】
【００３８】
（数値実施例２）
面番号       r        d      nd         νd       有効径
1       -164.056    2.20   1.80100    35.0       68.71
2        131.705    4.04                         65.06
3        189.822    2.20   1.84666    23.8       65.50
4         90.749   11.33   1.43875    95.0       65.16
5       -202.860    0.50                         65.56
6        155.890    9.78   1.43387    95.1       66.25
7       -123.905    5.11                         66.18
8        101.141    9.94   1.72916    54.7       66.20
9       -342.096    0.15                         65.56
10         56.047    5.55   1.78800    47.4       59.79
11        103.504  (可変)                         58.79
12*       231.760    1.00   1.83481    42.7       24.25
13         13.826    5.12                         19.27
14        -59.648    5.03   1.80809    22.8       18.99
15        -13.341    0.75   1.83481    42.7       18.64
16         36.812  (可変)                         17.81
17         24.201    5.76   1.60342    38.0       18.00
18        -21.031    1.00                         17.56
19        -17.399    0.75   1.83481    42.7       16.62
20        -52.047  (可変)                         16.68
21        -24.514    0.75   1.75500    52.3       18.00
22         45.059    2.75   1.84666    23.8       19.71
23       -378.512  (可変)                         20.36
24(絞り)    ∞       1.34                         24.80
25        846.116    4.51   1.67003    47.2       25.93
26        -32.916    0.20                         26.62
27         51.557    3.71   1.48749    70.2       27.31
28       -664.151    0.15                         27.16
29         90.425    5.79   1.50127    56.5       26.97
30        -32.267    1.20   1.88300    40.8       26.59
31       -471.830   33.00                         26.70
32         64.432    5.22   1.49700    81.5       26.92
33        -43.149    0.50                         26.69
34       -138.707    1.40   1.83400    37.2       25.53
35         27.240    5.20   1.48749    70.2       24.48
36       -366.027    2.12                         24.45
37         50.056    7.49   1.50127    56.5       25.12
38        -25.415    1.40   1.88300    40.8       24.95
39       -120.075    1.32                         25.66
40         48.467    4.97   1.51742    52.4       26.20
41        -69.886    4.00                         26.01
42          ∞      33.00   1.60859    46.4       40.00
43          ∞      13.20   1.51633    64.2       40.00
44          ∞       7.95                         40.00
像面        ∞   
非球面データ
第12面
K = 2.53619e+002  A 4= 1.18483e-005  A 6=-1.37600e-008  A 8=-3.90531e-011  A10=
-1.97015e-013  
各種データ
ズーム比     17.00 
焦点距離       8.00    16.24    32.98    56.07   136.00  
Fナンバー      1.90     1.90     1.90     1.90     2.50  
半画角（度）   34.51    18.71     9.47     5.60     2.32  
像高           5.50     5.50     5.50     5.50     5.50  
レンズ全長   262.18   262.18   262.18   262.18   262.18  
BF             7.95     7.95     7.95     7.95     7.95  
d11            1.50    19.17    31.33    37.41    43.48  
d16            0.66     1.44     0.65     0.66     0.66  
d20           43.09    22.36     9.22     3.93     5.56  
d23            5.55     7.82     9.61     8.80     1.10  

入射瞳位置    44.23    83.88   152.58   231.45   442.88  
射出瞳位置   249.00   249.00   249.00   249.00   249.00  
前側主点位置  52.50   101.21   190.08   300.56   655.62  
後側主点位置  -0.05    -8.29   -25.03   -48.12  -128.05  
ズームレンズ群データ
群  始面    焦点距離  レンズ構成長  前側主点位置  後側主点位置
1    1      55.94        50.80        32.03          3.94
2   12      -8.92        11.90         3.05         -4.71
3   17      42.16         7.51        -1.40         -6.13
4   21     -37.90         3.50        -0.20         -2.12
5   24      61.74       129.72        73.37       -140.29
【手続補正７】
【補正対象書類名】明細書
【補正対象項目名】００３９
【補正方法】変更
【補正の内容】
【００３９】
（数値実施例３）
面番号       r        d      nd         νd       有効径
1       -200.841    2.20   1.80100    35.0       70.99
2        118.901    7.85                         67.59
3        188.249    2.20   1.84666    23.8       67.33
4         90.080   11.71   1.43875    95.0       66.46
5       -211.855    0.50                         66.58
6        142.502   10.56   1.43387    95.1       66.45
7       -128.054    5.05                         66.92
8         98.522    8.55   1.72916    54.7       68.07
9       -434.439    0.15                         67.77
10         58.974    5.03   1.78800    47.4       61.67
11        103.504  (可変)                         60.89
12*       235.195    1.00   1.83481    42.7       26.16
13         14.331    6.59                         20.75
14       -378.780    7.17   1.80809    22.8       19.74
15        -13.499    0.75   1.81600    46.6       18.89
16         73.458  (可変)                         17.66
17         23.684    3.48   1.51742    52.4       17.35
18       -109.817    1.00                         16.71
19        -29.663    0.75   1.83400    37.2       16.61
20       -354.593  (可変)                         16.43
21        -24.442    0.75   1.75500    52.3       17.91
22         46.123    2.66   1.84666    23.8       19.61
23       -357.005  (可変)                         20.24
24(絞り)    ∞       1.34                         24.74
25        846.116    4.51   1.67003    47.2       25.87
26        -32.916    0.20                         26.57
27         51.557    3.71   1.48749    70.2       27.29
28       -664.151    0.15                         27.14
29         90.425    5.79   1.50127    56.5       26.96
30        -32.267    1.20   1.88300    40.8       26.58
31       -471.830   33.00                         26.71
32         64.432    5.22   1.49700    81.5       27.10
33        -43.149    0.50                         26.88
34       -138.707    1.40   1.83400    37.2       25.71
35         27.240    5.20   1.48749    70.2       24.65
36       -366.027    2.12                         24.59
37         50.056    7.49   1.50127    56.5       24.90
38        -25.415    1.40   1.88300    40.8       24.74
39       -120.075    1.32                         25.45
40         48.467    4.97   1.51742    52.4       26.01
41        -69.886    4.00                         25.82
42          ∞      33.00   1.60859    46.4       40.00
43          ∞      13.20   1.51633    64.2       40.00
44          ∞       8.49                         40.00
像面        ∞   
非球面データ
第12面
K = 2.13810e+002  A 4= 1.16046e-005  A 6=-1.85889e-008  A 8=-3.00851e-011  A10=
-4.90371e-014  
各種データ
ズーム比     17.00 
焦点距離       8.00    16.24    32.98    56.07   136.00  
Fナンバー      1.90     1.90     1.90     1.90     2.50  
半画角（度）   34.51    18.71     9.47     5.60     2.32  
像高           5.50     5.50     5.50     5.50     5.50  
レンズ全長   266.44   266.44   266.44   266.44   266.44  
BF             8.49     8.49     8.49     8.49     8.49  
d11            1.50    19.61    31.74    38.03    44.43  
d16            0.15     1.00     0.13     0.16     0.15  
d20           43.08    21.37     8.36     2.71     4.34  
d23            5.55     8.31    10.05     9.39     1.35  

入射瞳位置    46.21    84.81   147.82   219.59   409.55  
射出瞳位置   249.00   249.00   249.00   249.00   249.00  
前側主点位置  54.48   102.15   185.32   288.73   622.46  
後側主点位置   0.49    -7.75   -24.49   -47.57  -127.51  
ズームレンズ群データ
群  始面    焦点距離  レンズ構成長  前側主点位置  後側主点位置
1    1      55.94        53.80        35.61          6.25
2   12     -13.11        15.51         2.41         -8.03
3   17     399.99         5.23       -29.24        -30.71
4   21     -37.90         3.41        -0.20         -2.07
5   24      61.74       129.72        73.37       -140.29
【手続補正８】
【補正対象書類名】明細書
【補正対象項目名】００４０
【補正方法】変更
【補正の内容】
【００４０】
（数値実施例４）
面番号       r        d      nd         νd       有効径
1       -171.037    2.20   1.80100    35.0       68.47
2        115.786    6.56                         64.64
3        146.333    2.20   1.84666    23.8       64.25
4         84.999   12.66   1.43875    95.0       63.62
5       -144.333    0.50                         64.24
6        140.685    8.80   1.43387    95.1       68.29
7       -209.278    5.06                         68.59
8        109.169    9.16   1.72916    54.7       69.96
9       -285.207    0.15                         69.67
10         57.976    5.42   1.78800    47.4       62.74
11        103.504  (可変)                         61.91
12*       206.067    1.00   1.83481    42.7       24.69
13         13.384    7.52                         19.52
14        -38.062    5.21   1.80809    22.8       18.42
15        -11.618    0.75   1.81600    46.6       18.36
16       -104.121  (可変)                         18.20
17         27.521    3.86   1.51742    52.4       17.79
18        -42.365    1.00                         17.25
19        -29.744    0.75   1.83400    37.2       16.66
20        374.112  (可変)                         16.38
21        -23.271    0.75   1.75500    52.3       18.22
22         51.113    2.56   1.84666    23.8       20.05
23       -210.359  (可変)                         20.65
24(絞り)    ∞       1.34                         25.34
25        437.682    4.65   1.67003    47.2       26.56
26        -33.673    0.20                         27.23
27         58.064    3.33   1.48749    70.2       27.85
28       -696.382    0.15                         27.73
29         90.654    6.03   1.50127    56.5       27.55
30        -31.860    1.20   1.88300    40.8       27.19
31       -277.918   33.00                         27.36
32         59.017    5.34   1.49700    81.5       27.28
33        -45.129    0.49                         27.01
34       -124.139    1.40   1.83400    37.2       25.89
35         27.752    5.43   1.48749    70.2       24.82
36       -149.661    2.12                         24.76
37         49.151    6.93   1.50127    56.5       25.17
38        -27.532    1.40   1.88300    40.8       24.94
39       -182.549    1.32                         25.44
40         50.414    4.77   1.51742    52.4       25.84
41        -75.360    4.00                         25.63
42          ∞      33.00   1.60859    46.4       40.00
43          ∞      13.20   1.51633    64.2       40.00
44          ∞       7.83                         40.00
像面        ∞   
非球面データ
第12面
K = 1.27576e+002  A 4= 1.65807e-005  A 6=-2.90796e-008  A 8=-5.73587e-012  A10=
-7.47723e-014  
各種データ
ズーム比     17.00 
焦点距離       8.00    16.24    32.98    56.07   136.00  
Fナンバー      1.90     1.90     1.90     1.90     2.43  
半画角（度）   34.51    18.71     9.47     5.60     2.32  
像高           5.50     5.50     5.50     5.50     5.50  
レンズ全長   263.54   263.54   263.54   263.54   263.54  
BF             7.83     7.83     7.83     7.83     7.83  
d11            1.50    19.32    31.73    37.98    44.27  
d16            0.15     7.55     0.71     0.13     0.15  
d20           43.08    15.27     8.01     3.02     4.43  
d23            5.55     8.14     9.84     9.16     1.44  

入射瞳位置    45.02    82.91   149.10   224.43   425.40  
射出瞳位置   321.05   321.05   321.05   321.05   321.05  
前側主点位置  53.22    99.99   185.55   290.54   620.45  
後側主点位置  -0.17    -8.41   -25.15   -48.24  -128.17  
ズームレンズ群データ
群  始面    焦点距離  レンズ構成長  前側主点位置  後側主点位置
1    1      55.94        52.70        34.12          5.24
2   12     -13.11        14.48         1.57         -9.59
3   17     399.99         5.61       -30.66        -32.14
4   21     -37.90         3.31        -0.31         -2.13
5   24      58.32       129.32        66.91       -133.50
【手続補正９】
【補正対象書類名】明細書
【補正対象項目名】００４１
【補正方法】変更
【補正の内容】
【００４１】
（数値実施例５）
面番号       r        d      nd         νd       有効径
1       -194.185    2.20   1.80100    35.0       71.95
2        152.990    6.44                         68.29
3        172.100    2.20   1.84666    23.8       68.47
4         84.231   13.48   1.43875    95.0       67.63
5       -159.684    0.50                         67.86
6        145.720    8.90   1.43387    95.1       67.54
7       -217.779    5.05                         67.18
8         94.458    8.43   1.72916    54.7       65.37
9       -518.506    0.15                         64.94
10         57.871    5.95   1.78800    47.4       59.39
11        103.504  (可変)                         57.81
12*       150.334    1.00   1.81600    46.6       22.84
13         15.519    5.40                         18.50
14        -22.956    2.52   1.69895    30.1       17.80
15        -16.846    0.75   1.88300    40.8       17.40
16         24.645  (可変)                         17.08
17         26.371    5.62   1.72825    28.5       17.79
18        -16.500    1.00                         17.79
19        -13.978    0.75   1.81600    46.6       16.39
20        -28.496  (可変)                         16.71
21        -24.278    0.75   1.75500    52.3       18.11
22         45.791    2.72   1.84666    23.8       19.85
23       -331.958  (可変)                         20.49
24(絞り)    ∞       1.34                         24.95
25        222.103    3.87   1.67003    47.2       26.30
26        -48.105    0.20                         26.91
27         80.874    4.39   1.48749    70.2       27.80
28        -57.980    0.15                         27.89
29        106.732    5.75   1.50127    56.5       27.47
30        -32.205    1.20   1.88300    40.8       27.12
31       -231.564   33.00                         27.28
32         45.733    5.36   1.49700    81.5       26.42
33        -49.736    0.49                         26.06
34       -112.288    1.40   1.88300    40.8       25.08
35         21.225    6.64   1.50127    56.5       23.84
36        -77.219    2.12                         24.05
37         34.413    8.36   1.50127    56.5       25.23
38        -22.777    1.40   1.88300    40.8       24.95
39        329.893    1.32                         25.85
40         76.737    6.01   1.51742    52.4       26.73
41        -29.118    4.00                         26.93
42          ∞      33.00   1.60859    46.4       40.00
43          ∞      13.20   1.51633    64.2       40.00
44          ∞       7.37                         40.00
像面        ∞   
非球面データ
第12面
K = 1.16812e+002  A 4= 2.02208e-005  A 6=-4.57379e-008  A 8= 4.53466e-010  A10=
-1.15909e-012  
各種データ
ズーム比     17.00 
焦点距離       8.00    16.24    32.98    56.07   136.00  
Fナンバー      1.90     1.90     1.90     1.90     2.50  
半画角（度）   34.51    18.71     9.47     5.60     2.32  
像高           5.50     5.50     5.50     5.50     5.50  
レンズ全長   265.73   265.73   265.73   265.73   265.73  
BF             7.37     7.37     7.37     7.37     7.37  
d11            1.50    19.15    31.10    37.06    42.95  
d16            1.20     1.42     1.20     1.20     1.20  
d20           43.08    22.96     9.70     4.59     6.18  
d23            5.55     7.80     9.34     8.48     1.00  

入射瞳位置    46.72    87.96   159.25   242.56   467.64  
射出瞳位置   198.72   198.72   198.72   198.72   198.72  
前側主点位置  55.06   105.58   197.91   315.06   700.31  
後側主点位置  -0.63    -8.87   -25.61   -48.70  -128.63  
ズームレンズ群データ
群  始面    焦点距離  レンズ構成長  前側主点位置  後側主点位置
1    1      55.94        53.31        33.57          2.88
2   12      -6.59         9.67         3.99         -2.76
3   17      23.28         7.37         0.81         -3.87
4   21     -37.90         3.47        -0.22         -2.12
5   24      68.41       133.20        84.71       -156.74
【手続補正１０】
【補正対象書類名】明細書
【補正対象項目名】００４２
【補正方法】変更
【補正の内容】
【００４２】
（数値実施例６）
面番号       r        d      nd         νd       有効径
1       -384.654    2.20   1.80100    35.0       71.36
2        177.768    0.96                         68.95
3        150.266    2.20   1.84666    23.8       69.02
4         68.887   12.73   1.43875    95.0       67.70
5       -271.439    0.50                         67.85
6        240.880    5.73   1.43387    95.1       68.02
7       -355.573    5.20                         67.92
8         80.669    9.44   1.72916    54.7       66.55
9       -535.143    0.15                         66.00
10         52.417    5.53   1.78800    47.4       57.30
11        103.504  (可変)                         56.35
12*      -363.524    1.00   1.81600    46.6       20.62
13         15.116    4.54                         16.47
14        -19.231    2.07   1.80100    35.0       15.96
15        -15.608    0.75   1.88300    40.8       15.73
16         22.501  (可変)                         15.38
17         37.854    4.08   1.72825    28.5       16.76
18        -19.985    1.00                         16.89
19        -15.202    0.75   1.81600    46.6       16.67
20        -19.758  (可変)                         17.06
21        -24.016    0.75   1.75500    52.3       18.33
22         42.769    2.73   1.84666    23.8       20.16
23       -310.491  (可変)                         20.74
24(絞り)    ∞       1.34                         25.23
25        288.365    4.17   1.67003    47.2       26.50
26        -40.337    0.20                         27.11
27         54.495    4.95   1.48749    70.2       27.96
28        -59.275    0.15                         27.90
29       -967.901    4.91   1.50127    56.5       27.36
30        -30.408    1.20   1.88300    40.8       26.99
31       -183.466   33.00                         27.18
32         34.937    5.66   1.49700    81.5       25.77
33        -52.877    0.67                         25.29
34        -84.784    1.40   1.88300    40.8       24.32
35         17.426    7.60   1.50127    56.5       22.85
36        -56.188    2.12                         23.19
37         36.394    8.21   1.50127    56.5       24.80
38        -22.337    1.40   1.88300    40.8       24.70
39        309.097    1.32                         25.95
40        121.731    6.74   1.51742    52.4       26.89
41        -23.496    4.00                         27.31
42          ∞      33.00   1.60859    46.4       40.00
43          ∞      13.20   1.51633    64.2       40.00
44          ∞       7.52                         40.00
像面        ∞   
非球面データ
第12面
K = 5.32667e+002  A 4= 5.10907e-005  A 6=-5.82064e-008  A 8=-1.88445e-010  A10=
4.86527e-012  
各種データ
ズーム比     17.00 
焦点距離       8.00    16.24    32.98    56.07   136.00  
Fナンバー      1.90     1.89     1.90     1.90     2.40  
半画角（度）   34.51    18.71     9.47     5.60     2.32  
像高           5.50     5.50     5.50     5.50     5.50  
レンズ全長   258.17   258.17   258.17   258.17   258.17  
BF             7.52     7.52     7.52     7.52     7.52  
d11            1.50    18.04    30.06    35.56    40.82  
d16            3.00     3.89     2.98     3.01     3.00  
d20           43.08    24.54    11.59     7.13     8.69  
d23            5.55     6.67     8.50     7.43     0.62  

入射瞳位置    43.21    86.57   172.26   272.11   548.90  
射出瞳位置   155.36   155.36   155.36   155.36   155.36  
前側主点位置  51.64   104.60   212.59   349.44   810.02  
後側主点位置  -0.48    -8.72   -25.46   -48.55  -128.48  
ズームレンズ群データ
群  始面    焦点距離  レンズ構成長  前側主点位置  後側主点位置
1    1      55.94        44.62        26.09         -1.41
2   12      -5.78         8.35         3.27         -2.48
3   17      23.17         5.83         1.49         -2.38
4   21     -37.90         3.48        -0.23         -2.14
5   24      80.16       135.23       105.01       -183.39
【手続補正１１】
【補正対象書類名】明細書
【補正対象項目名】００４３
【補正方法】変更
【補正の内容】
【００４３】
（数値実施例７）
面番号       r        d      nd         νd       有効径
1       9481.631    3.00   1.83481    42.7      111.65
2        188.270    1.07                        109.28
3        187.729   15.78   1.43387    95.1      109.40
4       -299.935   11.15                        109.12
5        196.757    8.21   1.43387    95.1      109.73
6       1586.014    0.20                        109.56
7        158.068   10.26   1.43387    95.1      108.24
8       1148.110    0.20                        107.61
9        129.383    9.29   1.43387    95.1      103.49
10        393.464  (可変)                        102.47
11         60.772    1.00   1.88300    40.8       32.97
12         25.525    8.35                         29.38
13        -41.393    0.90   1.81600    46.6       28.46
14         70.252  (可変)                         28.24
15         57.029    6.75   1.80809    22.8       28.76
16        -54.943    1.50                         28.47
17        -47.597    1.10   1.81600    46.6       27.58
18        869.679  (可変)                         27.39
19        -47.569    1.30   1.71700    47.9       28.16
20         56.877    5.89   1.84649    23.9       30.12
21        398.973  (可変)                         31.31
22(絞り)    ∞       4.05                         36.72
23        226.671    6.76   1.60738    56.8       39.80
24        -52.362    0.15                         40.36
25       3180.721    3.29   1.51823    58.9       40.32
26       -125.098    0.35                         40.30
27         39.069    9.43   1.48749    70.2       38.94
28        -98.064    1.50   1.83400    37.2       37.77
29      -2415.030    0.15                         36.76
30         36.731    8.31   1.48749    70.2       34.11
31        -86.274    1.50   1.88300    40.8       32.19
32         30.301   50.00                         29.03
33       -120.629    4.64   1.51742    52.4       31.20
34        -35.365    2.54                         31.44
35         63.076    1.20   1.78590    44.2       28.68
36         31.790    6.50   1.51742    52.4       27.60
37       -109.650    2.01                         26.82
38         76.161    5.44   1.51742    52.4       24.54
39        -36.256    1.20   1.83481    42.7       23.64
40         48.072    0.67                         22.86
41         33.725    4.04   1.48749    70.2       22.99
42       -964.584    3.80                         22.65
43          ∞      34.37   1.60859    46.4       40.00
44          ∞      13.75   1.51680    64.2       40.00
45          ∞       9.01                         40.00
像面        ∞   
各種データ
ズーム比     35.00 
焦点距離      11.00    26.76    65.08   158.29   385.00  
Fナンバー      2.10     2.09     2.10     2.09     3.60  
半画角（度）   26.57    11.61     4.83     1.99     0.82  
像高           5.50     5.50     5.50     5.50     5.50  
レンズ全長   400.66   400.66   400.66   400.66   400.66  
BF             9.01     9.01     9.01     9.01     9.01  
d10            2.69    56.90    91.27   111.52   122.44  
d14            1.56     3.54     1.80     1.52     1.56  
d18          126.82    64.70    26.05     6.84    12.38  
d21            8.97    14.90    20.91    20.15     3.65  

入射瞳位置    81.32   232.61   520.20   1038.66   1973.60  
射出瞳位置   641.46   641.46   641.46   641.46   641.46  
前側主点位置  92.51   260.50   591.98   1236.57   2592.97  
後側主点位置  -1.99   -17.75   -56.08  -149.29  -375.99  
ズームレンズ群データ
群  始面    焦点距離  レンズ構成長  前側主点位置  後側主点位置
1    1     161.84        59.17        34.19         -8.92
2   11     -17.66        10.25         5.47         -3.17
3   15      83.62         9.35        -3.23         -8.66
4   19     -66.60         7.19         0.44         -3.46
5   22      89.02       165.66        99.66       -192.38